(57)【特許請求の範囲】
【請求項１】
非磁性体のパイプを有する竿状体と、当該竿状体を支持する複数の支持体と、を備え、
前記竿状体は、両端部を含む複数箇所に設けられ、第１の磁石を有する複数の磁石保持体を、さらに有し、
前記パイプは、前記両端部の一方から他方に延在するか、又は前記複数の磁石保持体の間の区間毎に延在し、
前記複数の支持体は、第２の磁石を有し、前記複数の磁石保持体を、磁石同士の磁気的反発力により、上下方向に浮いた状態で、それぞれ支持し、
前記竿状体は、
前記パイプの中空部に挿入され、当該中空部内において転動可能であり、かつ磁石を有し、前記区間毎に１以上である転動体と、
前記複数の磁石保持体の各々ないしそれらの付近に設けられ、前記複数の磁石保持体の前記第１の磁石及び前記複数の支持体の前記第２の磁石へ、前記パイプ内の前記転動体が接近することを妨げる制止部材と、をさらに有する、鳥除け装置。
【請求項２】
前記パイプは、少なくとも、前記転動体が転動する範囲の上側において、透明である、請求項１に記載の鳥除け装置。
【請求項３】
前記複数の支持体の各々は、前記複数の磁石保持体を前記磁気的反発力により、上方向に付勢するだけでなく、下方向へも付勢する、請求項１又は２に記載の鳥除け装置。
【請求項４】
前記複数の支持体の各々は、自身が有する前記第２の磁石の少なくとも一部の上下方向の位置を、ネジの回転により調整し、それにより対応する前記磁石保持体の上下の位置を調節可能にする調節機構を有する、請求項１から３のいずれかに記載の鳥除け装置。
【請求項５】
前記区間毎に１以上である前記転動体は、前記区間毎に複数であり、
前記竿状体は、前記区間毎に前記複数の転動体の間に位置するように、前記パイプの前記中空部に挿入され、前記中空部内を転動可能であり、磁石を有しない別の転動体を、さらに有する、請求項１から４のいずれかに記載の鳥除け装置。
【発明の詳細な説明】
【技術分野】
【０００１】
本発明は、鳩、カラスなど鳥害をもたらす鳥の飛来を防止する鳥除け装置に関する。
【背景技術】
【０００２】
従来、この種の鳥除け装置として、特許文献１に開示されるものが知られている。この従来装置は、磁石が設けられた線状体が３本以上の支柱の間に掛け渡されるとともに、１本の線状体が振動すると、この線状体に隣接する他の線状体も振動するように構成されている。この従来装置は、それによって、長い範囲にわたって磁界の変化が生じることを可能にし、磁界の変化により鳥類を忌避できる範囲を拡げるものとなっている。
【０００３】
しかし、この従来装置は、アパートや住宅のベランダの塀の上に飛来する鳥を排除するためには、塀の上に線状体を掛け渡すこととなる。そうすると、塀を布団干しなどの、日常生活上の目的に使用することができなくなる、という問題点があった。また、住宅の景観にそぐわない、特別な仕掛けが家屋の外面に設置されることとなり、住宅の景観を損なう、という問題点もあった。
【先行技術文献】
【特許文献】
【０００４】
【特許文献１】特許第３５１６４３７号公報
【発明の概要】
【発明が解決しようとする課題】
【０００５】
本発明は上記の問題点に鑑みてなされたもので、磁場の変動を広い範囲に及ぼすとともに、アパートや住宅に設置しても、日常生活の妨げにならず、かつ住宅等の景観にもなじむ鳥除け装置を提供することを目的とする。
【課題を解決するための手段】
【０００６】
上記課題を解決し上記目的を達成するために、本発明のうち第１の態様によるものは、鳥除け装置であって、非磁性体のパイプを有する竿状体と、当該竿状体を支持する複数の支持体と、を備えている。前記竿状体は、両端部を含む複数箇所に設けられ、第１の磁石を有する複数の磁石保持体を、さらに有している。前記パイプは、前記両端部の一方から他方に延在するか、又は前記複数の磁石保持体の間の区間毎に延在している。前記複数の支持体は、第２の磁石を有し、前記複数の磁石保持体を、磁石同士の磁気的反発力により、上下方向に浮いた状態で、それぞれ支持している。また、前記竿状体は、転動体と制止部材とを、更に備えている。前記転動体は、前記パイプの中空部に挿入され、当該中空部内において転動可能であり、かつ磁石を有し、前記区間毎に１以上である。前記制止部材は、前記複数の磁石保持体の各々ないしそれらの付近に設けられ、前記複数の磁石保持体の前記第１の磁石及び前記複数の支持体の前記第２の磁石へ、前記パイプ内の前記転動体が接近することを妨げるものである。
【０００７】
この構成によれば、鳥の飛来を防止すべき場所に、複数の支持体を設置することにより、竿状体を延設することができる。支持体は磁石を有しており、その磁場を感知する鳥は，支持体よりも竿状体に止まり易い。竿状体は、磁石保持体を通じて磁気的反発力により、上下方向に浮いた状態で複数の支持体に支持されているため、鳥が竿状体に止まると容易に振動を起こす。しかも、振動は竿状体の全体に伝わる。また、鳥が止まった部位が下降し易く、それにより、パイプの中空部に挿入された磁石を有する転動体が中空部内を転動しつつ移動し易い。その結果、転動体が作り出す磁場に変化が生じる。パイプは非磁性体であるので、この磁場の変化は鳥に感知される。このように、竿状体の振動と、磁場の変化とが生じることにより、竿状体に一旦止まった鳥を、効果的に排除することができる。
【０００８】
竿状体から鳥が離れた後も、竿状体の全体がしばらくは震動しているため、竿状体の別の部位に鳥がすぐに戻って止まることを防ぐことができる。また、鳥は磁場の強い場所から離れようとするので、鳥がしばらくの後にパイプに止まるとき、あるいは別の鳥が止まるときには、竿状体のうち、磁石を有する転動体から離れた部位に止まろうとする。このため、鳥が竿状体に止まる毎に、転動体から離れた部位が下降することとなる。その結果、鳥が止まる前に転動体がどの位置にあろうと、鳥が止まった後には、転動体は新たに形成された傾斜に沿って移動し、しかも自身に向かって移動を開始することとなる。竿状体が制止部材を有するので、磁石を有する転動体は、磁石保持体及び支持体が有する磁石からの磁気的吸引力により、支持体の付近に引き寄せられることなく、パイプの傾斜に応じて自由に転動して移動することが可能である。また、特許文献１の線状体とは異なり、竿状体はアパートや住宅のベランダの手すりと同様の形状であるので、手すりと同様に、布団を干すなどの日常生活上の目的に、そのまま生かすことができ、日常生活の妨げにならない。また、物干し竿として利用することも可能である。従って、住宅等の景観にもなじむ。
【０００９】
本発明のうち第２の態様によるものは、第１の態様による鳥除け装置であって、前記パイプは、少なくとも、前記転動体が転動する範囲の上側において、透明である。
この構成によれば、竿状体に止まった鳥は、視覚を通じても、転動体の動きを感知することができる。このため、竿状体に止まった鳥は、自身に向かって移動を開始する転動体を視覚によっても感知することとなる。それにより、一層効果的に鳥を排除することが可能となる。
【００１０】
本発明のうち第３の態様によるものは、第１又は第２の態様による鳥除け装置であって、前記複数の支持体の各々は、前記複数の磁石保持体を前記磁気的反発力により、上方向に付勢するだけでなく、下方向へも付勢する。
この構成によれば、竿状体は磁石保持体を通じて支持体により、上下双方向から磁気的反発力により付勢されているので、竿状体の震動を許しつつ、竿状体の上方向への移動をある程度規制し、上方向への遊び（いわゆるガタ）を小さくすることができる。
【００１１】
本発明のうち第４の態様によるものは、第１から第３のいずれかの態様による鳥除け装置であって、前記複数の支持体の各々は、自身が有する前記第２の磁石の少なくとも一部の上下方向の位置を、ネジの回転により調整し、それにより対応する前記磁石保持体の上下の位置を調節可能にする調節機構を有する。
この構成によれば、ネジを回転させることにより、磁石保持体の上下の位置を調節することができる。それにより、支持体を設置した後に、竿状体の水平度が十分でない場合があっても、竿状体の水平度を高めることが可能となる。
【００１２】
本発明のうち第５の態様によるものは、第１から第４のいずれかの態様による鳥除け装置であって、前記区間毎に１以上である前記転動体は、前記区間毎に複数である。前記竿状体は、前記区間毎に前記複数の転動体の間に位置するように、前記パイプの前記中空部に挿入され、前記中空部内を転動可能であり、磁石を有しない別の転動体を、さらに有する。
この構成によれば、各区間に磁石を有する複数の転動体が配置されるにも拘わらず、転動体の転動が互いの磁気的吸引力により妨げられることがない。
【発明の効果】
【００１３】
以上のように本発明によれば、磁場の変動を広い範囲に及ぼすとともに、アパートや住宅に設置しても、日常生活の妨げにならず、かつ住宅等の景観にもなじむ鳥除け装置が実現する。
【図面の簡単な説明】
【００１４】
【図１】本発明の一実施の形態による鳥除け装置の概略構成を示す正面図である。
【図２】図１の鳥除け装置の竿状体の端部に設けられる磁石保持体（ａ）と、これに対応する支持体（ｂ）との構成を示す斜視図である。
【図３】図２の磁石保持体と支持体とが組み合わされた構成を示す断面図である。
【図４】図１の鳥除け装置の竿状体の中間部に設けられる磁石保持体（ａ）と、これに対応する支持体（ｂ）との構成を示す斜視図である。
【図５】図４の磁石保持体と支持体とが組み合わされた構成を示す断面図である。
【図６】図１の鳥除け装置の竿状体の磁石保持体とパイプとの接続部の構成を示す斜視図であり、（ａ）は竿状体の端部における接続部、（ｂ）は竿状体の中間部における接続部を表している。
【図７】本発明の別の実施の形態による鳥除け装置の構成を示す分解斜視図である。
【図８】本発明の更に別の実施の形態による鳥除け装置の構成を示す側面図である。
【発明を実施するための形態】
【００１５】
図１は、本発明の一実施の形態による鳥除け装置の概略構成を示す正面図である。この装置１０１は、竿状体１と支持体５，７，５とを有している。竿状体１は、互いに連結された２本のパイプ３を含んでいる。パイプ３は、一例として透明の樹脂製である。パイプ３を主要部として含む竿状体１は、棒状の長尺体であり、剛性を有するとともに、適度な弾性を有する。それにより竿状体は、適度に弾性的に撓むことが可能となっている。
【００１６】
支持体５，７，５は、例えば住宅のベランダの塀１０の頂上面など、鳥の飛来を防止すべき場所に取り付けられる。竿状体１は、これらの支持体５，７，５に支持される。支持体５は、竿状体１の両端部を支持し、支持体７は中間部を支持する。支持体５，７，５と、それらに支持される竿状体１の部位には、磁石が設けられている。それにより、支持体５，７，５は、竿状体１を磁石の磁気的反発力により上下方向に浮いた状態で支持する。
【００１７】
パイプ３の中空部には、転動体１１、１８が挿入されている。転動体１１、１８は、パイプ３の中空部を転がることができるものであり、一例として球状をなす。転動体１１は磁石を有しており、他方の転動体１８は有していない。転動体１８は、転動体１１の間に介挿され、転動体１１同士が、磁力により吸着し、転動を妨げられることを防止する。竿状体１には、転動体１１、１８が、磁石を有する支持体５，７，５及び対応する竿状体１の部位に、過度に近づかないよう、転動体１１，１８を制止する制止部材（図示略）が設けられている。制止部材については、後述の詳細な説明の中で説明する。
【００１８】
竿状体１は、磁気的反発力により浮いた状態で支持体５，７，５に支持されているため、鳩などの鳥１３が竿状体１に止まると振動し、しかも、その振動は、竿状体１の全体に伝わる。また、鳥１３が止まった竿状体１の部位は、幾分か下降するので、竿状体１に傾斜が形成され、それにより、鳥１３が止まった部位に向かって転動体１１，１８が転動を開始する。転動体１１の転動に伴い、磁場が変動するため、鳥１３が効果的に排除される。パイプ３は樹脂製であるため、磁場の変動は外部にも及ぶ。鳥１３が止まると、竿状体１の振動によって、別の鳥が続いて止まることが妨げられ、かつ一旦止まった鳥３も、自身が引き起こした竿状体１の振動と、転動体１１，１８の転動とにより、退散することとなる。パイプ３は透明であるため、転動体１１、１８の移動は、鳥１３の視覚によって知覚され、それにより、より効果的に鳥１３を追い払うことが可能となる。鳥１３は、磁場の強い場所を避けようとするので、支持体５，７，５を避け、かつ、転動体１１から離れた竿状体１の部位に、好んで止まろうとする。このため、鳥１３が止まることによって新たに形成される竿状体１の傾斜により、転動体１１、１８は、鳥１３の止まっている方向に向かって転動を開始することとなる。
【００１９】
図２は、鳥除け装置１０１の竿状体１の端部に設けられる磁石保持体（ａ）と、これを支持する支持体（ｂ）との構成を示す斜視図である。また、図３は、図２の磁石保持体と支持体とが組み合わされた構成を示す断面図である。図２（ａ）及び図３に例示するように、竿状体１の端部には、パイプ３に連結する磁石保持体４が設けられている。磁石保持体４は、一例として四角柱状に形成された基部４１と、基部４１の上下両面に取り付けられた磁石４２，４３とを有している。基部４１は、例えば樹脂製であり、磁石４２，４３は、例えば接着剤により基部４１の表面に固着されている。
【００２０】
図２（ｂ）及び図３に例示するように、磁石保持体４を支持する支持体５は、内側に空洞を形成する支持体本体５１、支持体本体５１を建築物等に固定するための脚部５２、空洞内に配置された磁石５３、５４、及び磁石５４の上下の位置を調節する調節つまみ５６を有している。脚部５２には、建築物等に固定するためのネジ等の固定部材を挿通させるための孔５７が形成されている。磁石５３は、空洞内の底面に例えば接着剤により固着されている。磁石５４は、連結板５５の下面に、例えば接着剤により固着されている。連結板５５は、一例として金属製である。調節つまみ５６には支持体本体５１の頂部に形成されたネジ孔に螺合するネジ５８が連結している。磁石５４は、連結板５５を通じてネジ５８の先端部に連結されている。ネジ５８は、連結板５５に対して回転自在であり、かつ、連結板５５から抜けないように、図示略の抜け止めが形成されている。抜け止めは、例えば、連結板５５の下面からネジ５８の先端部に進入し、ネジ５８に固定されるピンにより実現可能である。
【００２１】
図３に例示するように、基部４１及び磁石４２，４３は、支持体本体５１の空洞部に挿入される。磁石４２及び５３は、互いに向き合う面が同一磁極となるように配置される。同様に、磁石４３及び５４は、互いに向き合う面が同一磁極となるように配置される。従って、磁石保持体４は、磁石４２及び５３同士の磁気的反発力により、上下方向に浮いた状態で、支持体５に支持されることとなる。一方、磁石４３と５４との間にも磁気的反発力が作用する。これにより、磁石保持体４の上方向への移動がある程度規制されることとなる。調節つまみ５６を操作することにより、磁石５４の上下方向の位置を調節することができ、それにより、磁石保持体４の上下方向の位置を調節することが可能となる。この調整により、竿状体１の水平度を高めることができる。
【００２２】
竿状体１の基部４１に近い部位には、パイプ３の中空部を転動する転動体１１，１８が、基部４１の側に接近することを阻止する制止部材１５が設けられている。制止部材１５により、転動体１１と磁石４２，４３，５３，５４との距離が一定以上に保持される。それにより、転動体１１が、磁石４２，４３，５３，５４に引き寄せられ、転動を妨げられることが回避される。
【００２３】
図４は、鳥除け装置１０１の竿状体１の中間部に設けられる磁石保持体（ａ）と、これに対応する支持体（ｂ）との構成を示す斜視図である。また、図５は、図４の磁石保持体と支持体とが組み合わされた構成を示す断面図である。これらの図４及び図５に例示されるように、一例として、磁石保持体６は、図２（ａ）及び図３に例示した磁石保持体４と同様の構造を有し、支持体７は、図２（ｂ）及び図３に例示した支持体５と同様の構造を有する。すなわち、図４（ａ）及び図５に例示するように、竿状体１の中間部には、パイプ３に連結する磁石保持体６が設けられている。磁石保持体６は、一例として四角柱状に形成された基部６１と、基部６１の上下両面に、例えば接着により取り付けられた磁石６２，６３とを有している。基部６１は、例えば基部４１と同一の材料により形成される。
【００２４】
図４（ｂ）及び図５に例示するように、磁石保持体６を支持する支持体７は、貫通する空洞を内側に形成する支持体本体７１、支持体本体７１を建築物等に固定するための脚部７２、空洞内に配置された磁石７３、７４、及び磁石７４の上下の位置を調節する調節つまみ７６を有している。本体部７１は、脚部７２とは別体であり、脚部７２と重なり合うように底部に形成された平板状部を有している。この平板状部と脚部７２とは、共通に形成された孔７７に挿通される固定部材により、建築物等に一緒に固定される。図３に例示した支持体５と同様に、磁石７３は空洞内の底面に固定され、磁石７４は連結板７５の下面に固定されている。調節つまみ７６にはネジ７８が連結しており、磁石７４は、連結板７５を通じてネジ７８の先端部に連結されている。
【００２５】
図５に例示するように、基部６１及び磁石６２，６３は、支持体本体７１の空洞部に挿入される。この挿入を可能にするために、支持体本体７１と脚部７２は、互いに分離可能となっている。磁石保持体６は、磁石６２及び７３同士の磁気的反発力により、上下方向に浮いた状態で、支持体７に支持される。一方、磁石６３と７４との間の磁気的反発力により、磁石保持体６の上方向への移動がある程度規制される。調節つまみ７６を操作することにより、磁石保持体６の上下方向の位置を調節することが可能である。
【００２６】
竿状体１の基部６１に近い部位には、パイプ３の中空部を転動する転動体１１，１８が、基部６１の側に接近することを阻止する制止部材１７が設けられている。制止部材１７により、転動体１１と磁石６２，６３，７３，７４との距離が一定以上に保持されるので、転動体１１が、磁石６２，６３，７３，７４に引き寄せられ、転動を妨げられることが回避される。
【００２７】
図６は、鳥除け装置１０１の竿状体１の磁石保持体４，６とパイプ３との接続部の構成を示す斜視図であり、（ａ）は竿状体１の端部における接続部、（ｂ）は竿状体１の中間部における接続部を表している。図６（ａ）に例示するように、磁石保持体４は、一例として、基部４１の一端が連結するフランジ部４５と、このフランジ部４５の他端に連結し、パイプ３の中空部に挿入される挿入部４６とを、更に有している。フランジ部４５の外径は、例えばパイプ３の外径と同一に形成される。フランジ部４５及び挿入部４６は、基部４１とパイプ３とを接続する接続部を構成するとともに、図３に例示した制止部材１５をも同時に構成する。フランジ部４５及び挿入部４６は、基部４１とともに、例えば、樹脂により一体的に成型される。
【００２８】
同様に、図６（ｂ）に例示するように、磁石保持体６は、一例として、基部６１の両端が連結するフランジ部６５と、各フランジ部６５の他端に連結し、パイプ３の中空部に挿入される挿入部６６とを、更に有している。フランジ部６５の外径は、例えばパイプ３の外径と同一に形成される。フランジ部６５及び挿入部６６は、基部６１とパイプ３とを接続する接続部を構成するとともに、図５に例示した制止部材１７をも同時に構成する。双方のフランジ部６５及び挿入部６６は、基部６１とともに、例えば、樹脂により一体的に成型される。
【００２９】
以上に例示した鳥除け装置１０１は、複数のパイプ３が磁石保持体４，６，４の間に接続されることにより、長尺の棒状体である竿状体１が形成された。これに対して、１本のパイプ３の所々に磁石保持体を取り付けることも可能である。図７は、そのように構成された本発明の別の実施の形態による鳥除け装置の構成を示す分解斜視図である。この装置１０２は、１本のパイプ８０の両端部及び中間部に、磁石保持体８が取り付けられることにより、竿状体１００が形成されている。磁石保持体８は、パイプ８０が挿通される貫通孔が形成された矩形板状の基部８１と、その上下両面に、例えば接着剤により固着された磁石８２，８３とを有している。基部８とパイプ８０とは、例えば接着剤により固着される。パイプ８０には、転動体１１、１８が挿入される。パイプ８０の基部８１の付近には、転動体１１の基部８１への接近を阻止する制止部材８５が取り付けられている。この制止部材８５は、ピン状であり、パイプ８０の肉部を貫通し、内部に達することにより、制止部材として機能する。制止部材８５は、例えば、接着剤によりパイプ８０に固着される。
【００３０】
磁石保持体８を支持する支持体９は、磁石保持体８を上下方向に摺動可能に収容するフレーム状の支持体本体部９０、支持体本体部９０に連結し、支持体本体部９０を建築物等に固定するための脚部９１、支持体本体部９０の摺動空間内の脚部９１の上面に接着剤等により固着された磁石９３、支持体本体部９０の頂部に着脱可能に取り付けられる蓋部９６、及び蓋部９６の底面に接着剤等により固着された磁石９９を有している。脚部９１には、建築物等に固定するためのネジ等の固定部材を挿通させるための孔９４が形成されている。また、支持体本体部９０の頂部付近には、蓋部９６を固定するためのネジ孔９５が形成されている。
【００３１】
磁石保持体８を支持体本体部９０の摺動空間内に挿入し、蓋部９６を支持体本体部９０の頂部に取り付けることにより、磁石保持体８が上下方向に摺動可能に支持体９に支持される。蓋部９６の底面には、支持体本体部９０の頂部を受け入れる溝９７が形成されており、この溝９７に支持体本体部９０の頂部を挿入し、ネジ等により蓋部９６の側壁を貫通するネジをネジ孔９５に螺合させることにより、蓋部９６が支持体本体部９０に固定される。同時に、支持体本体部９０を構成する２本のフレームの間隔が、蓋部９６によって一定に保持される。磁石保持体８は、磁石８２及び９３同士の磁気的反発力により、上下方向に浮いた状態で、支持体９に支持される。また、磁石８３と９９との間の磁気的反発力により、磁石保持体８の上方向への移動がある程度規制される。装置１０１と同様に、磁石９９の上下方向の位置を調節できるようにすることも可能である。
【００３２】
以上に例示した鳥除け装置１０１，１０２では、磁石保持体と支持体とに配置される磁石は、互いに上下方向に対向するように配置された。支持体に対して磁石保持体を上下方向に浮かすためには、それらの磁石は、互いに上下方向に対向するような配置以外の配置をも採り得る。図８は、その一例に相当する、本発明の更に別の実施の形態による鳥除け装置の構成を示す側面図である。この装置１０３は、図２（ａ）、図３及び図６（ａ）に例示した磁石保持体４が、磁石保持体２０に置き換えられ、図２（ｂ）及び図３に例示した支持体５が、支持体３０に置き換えられた構造を有している。磁石保持体２０は、図６（ａ）に例示したフランジ部４５に連結する基部４１が、三角柱状の基部２１に置き換えられ、磁石４２，４３が、三角柱状の基部２１の３つの側面に固着された３枚の磁石２２，２２，２３に置き換えられた構造をなしている。
【００３３】
支持体３０は、略「Ｖ」字状の溝を上面に有する支持体本体部３１、支持体本体部３１に連結し、支持体本体部３１を建築物等に固定するための脚部３２、支持体本体部３１の略「Ｖ」字状の溝の内壁面に接着剤等により固着された磁石３６，３６、支持体本体部３１の頂部に着脱可能に取り付けられる蓋部３４、及び蓋部３４の底面に接着剤等により固着された磁石３７を有している。脚部３２には、建築物等に固定するためのネジ等の固定部材を挿通させるための孔３３が形成されている。また、蓋部３４は、支持体本体部２１の頂部に、ネジ３５により着脱可能に固定される。
【００３４】
図８に例示するように、基部２１及び磁石２２，２２，２３は、支持体本体３１と蓋部３４とにより形成される空洞部に挿入される。蓋部３４が支持体本体３１に対して着脱可能であるので、脚部３２を通じて支持体本体部３１を建築物等に固定した後に、基部２１及び磁石２２，２２，２３を空洞部に配置することが可能である。磁石保持体２０は、互いに対向する磁石２２及び３６同士の磁気的反発力により、上下方向に浮いた状態で、支持体３０に支持される。同時に、水平方向（但し、竿状体１の軸に直交する水平方向、すなわち図８において左右方向）にも浮いた状態で、その位置が規制される。また、磁石２３と３７との間の磁気的反発力により、磁石保持体２０の上方向への移動がある程度規制される。図２（ｂ）に例示した支持体５と同様に、磁石３７の上下方向の位置を可変とすることも可能である。
【００３５】
竿状体１の端部だけでなく、中間部についても、図８に例示した磁石保持体２０及び支持体３０と同様の構成を採ることができる。すなわち、図４（ａ）、図５及び図６（ｂ）に示した基材６１及び磁石６２、６３を、基材２１及び磁石２２，２２，２３に置き換え、図４（ｂ）及び図５に示した支持体７を、支持体３０に置き換えることができる。
【００３６】
以上のように、装置１０３では、磁石保持体２０が、支持体３０から垂直、水平の２方向に浮いた状態で支持されるので、少なくともこの２方向については、接触による摩擦の影響を無くして支持されることとなる。このため、振動が竿状体１の全体にさらに伝わり易くなり、かつ持続し易くなる。また、磁石保持体２０を上下方向に支持する磁石２２及び３６が、略「Ｖ」字状に配置されるために、竿状体１に印加される荷重が増加したときの磁石保持体２０の下方向への移動幅が大きくなる。すなわち、同一の荷重の変化に対する磁石保持体２０の上下の動きが大きくなる。このため、鳥１３が竿状体１に止まったときの竿状体１の傾斜が大きくなるので、転動体１１、１８が転動し易くなる。また、竿状体１の振動の幅も大きくなるので、鳥１３を追い払う効果がより高められる。
【００３７】
（その他の実施の形態）
図８の例では、磁石２３と３７は、上下に対向するように配置されているが、磁石２２と３６との配置と同様に、傾斜させて配置しても良い。すなわち、磁石２３と３７を、略逆「Ｖ」字型に配置しても良い。それには、基材２１を断面菱形の角柱状に形成し、その４側面に磁石２２，２３を固着させ、それぞれに対向するように磁石３６，３７を、支持体本体部３１と蓋部３４に固着させると良い。それにより、磁石保持体２０の上下方向の動きが、更に大きくなる。
【００３８】
図８の例において、フランジ部４５と支持体本体３１との互いに対向する面に、互いに反発するように磁石を配置し、それにより、竿状体１の軸方向（図８の紙面に垂直な方向）においても、磁石保持体２０と支持体３０との間の接触による摩擦を無くすることができる。それにより、磁石保持体２０を支持体３０から３方向に、すなわち立体的ないずれの方向にも、浮いた状態とすることができる。それにより、振動が竿状体１の全体にさらに伝わり易くなり、かつ持続し易くなる。
【００３９】
図２〜図６に示した磁石保持体４，６と支持体５，７についても、同様の構成を採ることができる。すなわち、磁石保持体４，６と支持体５，７との互いに対向する面に、反発するように磁石を配置し、それにより、竿状体１の軸方向において、磁石保持体４，６と支持体５，７との間の接触による摩擦を無くすることができる。磁石保持体４については、基部４１の軸方向先端面に磁石を配置し、これに対向する支持体５の空洞の内壁面（図３参照）に、反発する磁石を配置することによっても、軸方向の接触による摩擦を解消することができる。なお、図３に例示するように、磁石保持体４が有する磁石４２，４３が、支持体５が有する磁石５３，５４よりも、中心の位置が竿状体１の中心に向かう方向（図３において右方向）にずれるように配置することにより、これらの磁石の反発力により、磁石保持体４には、支持体５の空洞から押し出される方向に、すなわち竿状体１の中心方向に向かうように、磁気的反発力が印加される。それによっても、磁石保持体４と支持体５との間の、竿状体１の軸方向の接触を回避する効果が得られる。
【００４０】
磁石保持体４，６の基部４１、６１の左右の側壁面にも磁石を配置し、これに対向する磁石を支持体本体部５１，７１に配置することにより、竿状体１の軸に直交する水平方向の接触による摩擦をも解消することが可能となる。なお、図３に例示する支持体５は、空洞の一端が閉塞されているが、支持体７と同様に両端を開放することも可能である。このように構成しても、フランジ部４５（図６（ａ）参照）と支持体本体５１（図２（ｂ）参照）の開口端縁とによって、支持体５の空洞への磁石保持体４の過度な進入は規制される。
【００４１】
図７に例示した装置１０２においても、基部８１と支持体本体部９０との間の対向する面に、反発する磁石を配置することにより、竿状体１００の軸方向と、軸方向に直交する水平方向との双方向の接触を無くすることが可能である。すなわち、基部８１を支持体９に対して、何れの方向にも浮かすことが可能である。
【００４２】
装置１０１，１０２では、磁石保持体が竿状体１，１００の３箇所に設けられる例を示した。これに対して、磁石保持体は、２箇所のみ、或いは、４箇所以上に設けることも可能である。
【００４３】
装置１０１，２０２では、パイプ３，８０が透明である例を示したが、パイプ３，８０のうち、転動体１１，１８が転動する範囲において、上側のみが透明であっても、鳥１３は転動する転動体１１，１８を視覚により捉えることができる。また、透明な部分が無くとも、転動体１１，１８が転動する音、振動が、磁場の変動と共に、鳥１３に知覚されるので、相応の排除効果が得られる。
【符号の説明】
【００４４】
１，１００  竿状体
３，８０  パイプ
４，６，８，２０  磁石保持体
５，７，９，３０  支持体
１０  塀
１１，１８  転動体
１３  鳥
１５，１７，８５  制止部材
５６，７６  調整つまみ
５８，７８  ネジ
２２，２３，３６，３７，４２，４３，５３，５４，６２，６３，７３，７４，８２，８３，９３，９９  磁石
１０１，１０２，１０３  鳥除け装置
【図１】
0006317203.tif 000002
【図２】
0006317203.tif 000003
【図３】
0006317203.tif 000004
【図４】
0006317203.tif 000005
【図５】
0006317203.tif 000006
【図６】
0006317203.tif 000007
【図７】
0006317203.tif 000008
【図８】
0006317203.tif 000009